(57)【要約】【課題】クッション材がボトムプレートの端末よりも外側にはみ出していた場合に容易に確認でき、延いては、ボトムプレートと表皮材との接合状態を向上できる車両用シートを提供することを目的とする。【解決手段】表皮材４の端末４ａの下面４ｂは、ボトムプレート２の端末２ａの上面２ｂに接合されており、ボトムプレート２の端末２ａと表皮材４の端末４ａとからなる接合部５は、ボトムプレート２の端末２ａの最先端と表皮材４の端末４ａの最先端とが一致するように形成されている。これにより、従来とは異なり、表皮材の端末が、ボトムプレートの裏面側へと折り込まれずに処理されることになる。また、製造段階で、ボトムプレートの端末と表皮材の端末との境目を視認できるので、この境目からクッション材がはみ出しているか、はみ出していないかを容易に確認できる。【選択図】図１
2013189074.tif 000002
【特許請求の範囲】
【請求項１】
ボトムプレート上にクッション材が載置されるとともに表皮材で被覆されてなる車両用シートにおいて、
前記表皮材の端末の下面は、前記ボトムプレートの端末の上面に接合されており、
前記ボトムプレートの端末と前記表皮材の端末とからなる接合部は、前記ボトムプレートの端末の最先端と前記表皮材の端末の最先端とが一致するように形成されていることを特徴とする車両用シート。
【請求項２】
前記表皮材の端末は、前記ボトムプレートの端末の全周にわたって接合されていることを特徴とする請求項１に記載の車両用シート。
【請求項３】
前記ボトムプレートと前記表皮材は同質の材料からなり、前記表皮材の端末の下面は、前記ボトムプレートの端末の上面に対して溶着されて接合されていることを特徴とする請求項１または２に記載の車両用シート。
【請求項４】
前記接合部の内側には、前記クッション材の位置を規制する位置規制部が形成されていることを特徴とする請求項１〜３のいずれか一項に記載の車両用シート。
【請求項５】
前記接合部の少なくとも一部が車両外観部材によって被覆されていることを特徴とする請求項１〜４のいずれか一項に記載の車両用シート。
【請求項６】
前記接合部のうち、乗車時の乗員の脚部に接触する部分は、乗員の脚部から遠ざかる方向に向けられるようにして形成されていることを特徴とする請求項１〜５のいずれか一項に記載の車両用シート。
【請求項７】
前記ボトムプレートの端末の上面と前記表皮材の端末の下面は直に接触するようにして接合されていることを特徴とする請求項１〜６のいずれか一項に記載の車両用シート。
【発明の詳細な説明】
【技術分野】
【０００１】
本発明は、自動二輪車等に配設される車両用シートに関する。
【背景技術】
【０００２】
自動二輪車等に配設される車両用シートとして、ボトムプレート上にクッション材が載置されるとともに表皮材で被覆されたものが知られている（例えば、特許文献１参照）。
特許文献１に記載の車両用シートの場合、表皮材の端末は、ボトムプレートの裏面側へと折り込まれ、このボトムプレートの裏面に圧着されている。
【先行技術文献】
【特許文献】
【０００３】
【特許文献１】特開２００３−２９０５７６号公報
【発明の概要】
【発明が解決しようとする課題】
【０００４】
ところが、特許文献１に記載の車両用シートは、表皮材の端末がボトムプレートの裏面側へと折り込まれて圧着されているため、例えばクッション材がボトムプレートの端末よりも外側にはみ出していた場合に確認が困難であった。
また、クッション材がボトムプレートの端末よりも外側にはみ出していると、その分、ボトムプレートと表皮材との接合箇所が少なくなるという問題が生じる場合がある。
【０００５】
本発明の課題は、クッション材がボトムプレートの端末よりも外側にはみ出していた場合に容易に確認でき、延いては、ボトムプレートと表皮材との接合状態を向上できる車両用シートを提供することを目的とする。
【０００６】
また、本発明の他の課題は、ボトムプレートの端末と表皮材の端末との境目における防水性を車両用シートの全周にわたって向上できる車両用シートを提供することを目的とする。
【０００７】
また、本発明の他の課題は、ボトムプレートの端末と表皮材の端末との接合強度を向上させやすくなる車両用シートを提供することを目的とする。
【０００８】
また、本発明の他の課題は、クッション材を車両用シート内に安定的に保持できる車両用シートを提供することを目的とする。
【０００９】
また、本発明の他の課題は、ボトムプレートの端末と表皮材の端末との接合箇所の少なくとも一部の損傷を抑制できる車両用シートを提供することを目的とする。
【００１０】
また、本発明の他の課題は、ボトムプレートの端末と表皮材の端末との接合箇所が乗員の脚部に強く接触することを抑制でき、座り心地を向上できる車両用シートを提供することを目的とする。
【００１１】
また、本発明の他の課題は、ボトムプレートの端末と表皮材の端末との間から車両用シートの内部に水分を導き入れるような部材を無くし、車両用シート内部への水分の浸入を抑制できる車両用シートを提供することを目的とする。
【課題を解決するための手段】
【００１２】
以上の課題を解決するため、請求項１に記載の発明は、ボトムプレート上にクッション材が載置されるとともに表皮材で被覆されてなる車両用シートにおいて、
前記表皮材の端末の下面は、前記ボトムプレートの端末の上面に接合されており、
前記ボトムプレートの端末と前記表皮材の端末とからなる接合部は、前記ボトムプレートの端末の最先端と前記表皮材の端末の最先端とが一致するように形成されていることを特徴とする。
【００１３】
請求項２に記載の発明は、請求項１に記載の車両用シートにおいて、前記表皮材の端末は、前記ボトムプレートの端末の全周にわたって接合されていることを特徴とする。
【００１４】
請求項３に記載の発明は、請求項１または２に記載の車両用シートにおいて、前記ボトムプレートと前記表皮材は同質の材料からなり、前記表皮材の端末の下面は、前記ボトムプレートの端末の上面に対して溶着されて接合されていることを特徴とする。
【００１５】
請求項４に記載の発明は、請求項１〜３のいずれか一項に記載の車両用シートにおいて、前記接合部の内側には、前記クッション材の位置を規制する位置規制部が形成されていることを特徴とする。
【００１６】
請求項５に記載の発明は、請求項１〜４のいずれか一項に記載の車両用シートにおいて、前記接合部の少なくとも一部が車両外観部材によって被覆されていることを特徴とする。
【００１７】
請求項６に記載の発明は、請求項１〜５のいずれか一項に記載の車両用シートにおいて、前記接合部のうち、乗車時の乗員の脚部に接触する部分は、乗員の脚部から遠ざかる方向に向けられるようにして形成されていることを特徴とする。
【００１８】
請求項７に記載の発明は、請求項１〜６のいずれか一項に記載の車両用シートにおいて、前記ボトムプレートの端末の上面と前記表皮材の端末の下面は直に接触するようにして接合されていることを特徴とする。
【発明の効果】
【００１９】
請求項１に記載の発明によれば、前記表皮材の端末の下面は、前記ボトムプレートの端末の上面に接合されており、前記接合部は、前記ボトムプレートの端末の最先端と前記表皮材の端末の最先端とが一致するように形成されているので、従来とは異なり、前記表皮材の端末が、前記ボトムプレートの裏面側へと折り込まれずに処理されることになる。また、製造段階で、前記ボトムプレートの端末と前記表皮材の端末との境目を視認できるので、この境目から前記クッション材がはみ出しているか、はみ出していないかを容易に確認することができる。
さらに、前記境目から前記クッション材がはみ出していることを容易に確認できるので、実際に前記クッション材がはみ出していた場合には、これを見逃さずに適切な対処を行うことができる。これによって、例えば前記境目から前記クッション材がはみ出したままの場合よりも、前記ボトムプレートの端末と前記表皮材の端末との接合箇所を増やすことができるので、前記ボトムプレートの端末と前記表皮材の端末との接合状態を向上できる。
【００２０】
請求項２に記載の発明によれば、前記表皮材の端末は、前記ボトムプレートの端末の全周にわたって接合されているので、前記ボトムプレートの端末と前記表皮材の端末との境目における防水性を向上できる。
【００２１】
請求項３に記載の発明によれば、前記ボトムプレートと前記表皮材は同質の材料からなり、前記表皮材の端末の下面は、前記ボトムプレートの端末の上面に対して溶着されて接合されているので、例えば他の材質の材料同士を溶着する場合に比して、前記ボトムプレートの端末と前記表皮材の端末との接合強度を向上させやすくなる。
【００２２】
請求項４に記載の発明によれば、前記接合部の内側には、前記クッション材の位置を規制する位置規制部が形成されているので、前記ボトムプレートと前記表皮材との間に収容された状態の前記クッション材の位置を、前記位置規制部によって規制できる。これによって、前記クッション材の位置がずれにくくなるので、前記車両用シート内に安定的に保持できる。
【００２３】
請求項５に記載の発明によれば、前記接合部の少なくとも一部が車両外観部材によって被覆されているので、前記車両外観部材によって被覆されている部分の経年劣化等による損傷を抑制できる。
【００２４】
請求項６に記載の発明によれば、前記接合部のうち、乗車時の乗員の脚部に接触する部分は、乗員の脚部から遠ざかる方向に向けられるようにして形成されているので、前記接合部が乗員の脚部に強く接触することを抑制でき、座り心地を向上できる。
【００２５】
請求項７に記載の発明によれば、前記ボトムプレートの端末の上面と前記表皮材の端末の下面は直に接触するようにして接合されているので、前記ボトムプレートの端末と前記表皮材の端末との間には、前記車両用シートの内部に水分を導き入れるような部材が無いことになる。これによって、前記車両用シート内部への水分の浸入を抑制できる。
【図面の簡単な説明】
【００２６】
【図１】本発明に係る車両用シートであり、（ａ）は自動二輪車に取り付けられた例を示す図であり、（ｂ）は乗員の脚部との接触部の拡大断面図であり、（ｃ）は接触部とは異なる部位の拡大断面図である。
【図２】位置規制部の概略を説明する拡大断面図である。
【図３】車両用シートの接合部とカウルとの位置関係を説明する断面図である。
【図４】車両用シートの製造工程を説明する図である。
【図５】図４に示す製造工程から続く車両用シートの製造工程を説明する図である。
【発明を実施するための形態】
【００２７】
以下、図面を参照して本発明の実施の形態について説明する。
図１において符号１は、車両用シートを示す。この車両用シート１は、自動二輪車Ｍに用いられるものである。
なお、車両用シートとは、本実施の形態のように自動二輪車Ｍだけに適用されるものではなく、二輪車、すなわち陸上のオートバイ、スクーターや、雪上のスノーモービル、水上バイク用のシートを含み、また三輪バギー車等や跨座式乗物、或いは建機シートに関する乗物用シートをも含むものとする。
【００２８】
前記車両用シート１は、ボトムプレート２上にクッション材３が載置されるとともに表皮材４で被覆されてなるものである。すなわち、前記車両用シート１は、ボトムプレート２と、クッション材３と、表皮材４と、を備える。
なお、前記表皮材４は、例えばメリヤスや不織布等から形成されるような、いわゆる基布を備えない構成となっている。
【００２９】
前記ボトムプレート２は、ポリプロピレンやポリ塩化ビニル等の樹脂材料を成形してなるものであり、前記自動二輪車Ｍの車体の形状に対応した形状となるように成形され、該車体に装着されている。
なお、本実施の形態のボトムプレート２は、例えばポリプロピレンを材料としたものであり、前記自動二輪車Ｍの車体に固定するため、特に硬質とされている。また、前記ボトムプレート２に対しては、前記自動二輪車Ｍの車体に固定するのに必要な金具等が取り付けられていてもよい。
【００３０】
前記クッション材３は、柔軟フォーム材、例えばウレタンフォーム，ポリプロピレンフォーム，ポリエチレンフォームから形成されており、前記ボトムプレート２上に載置されるとともに、前記表皮材４によって被覆される。
なお、本実施の形態のクッション材３としては、例えばウレタンフォームが採用されている。
【００３１】
前記表皮材４は、車両用シート１の座面を構成し、乗員に接触する部分であり、ポリプロピレンやポリ塩化ビニル等の樹脂材料を成形してなる。
なお、本実施の形態の表皮材４は、例えばポリプロピレンを材料としたものであり、前記クッション材３のクッション性を伝達し、乗員に対して快適な座り心地を付与するために、特に軟質とされている。
【００３２】
そして、前記表皮材４の端末４ａの下面４ｂは、前記ボトムプレート２の端末２ａの上面２ｂに接合されている。
すなわち、前記車両用シート１は、図１（ｂ），（ｃ）に示すように、前記ボトムプレート２の端末２ａと前記表皮材４の端末４ａとからなる接合部５を備える。
また、前記接合部５は、前記ボトムプレート２の端末２ａの最先端と前記表皮材４の端末４ａの最先端とが一致するように形成されている。
【００３３】
なお、前記ボトムプレート２の端末２ａとは、該ボトムプレート２の全周縁を指しており、前記表皮材４の端末４ａとは、該表皮材４の全周縁を指している。また、前記表皮材４の端末４ａは、前記ボトムプレート２の端末２ａの全周にわたって接合されている。つまり、前記接合部５は、前記車両用シート１の全周にわたって配置されることになる。
これによって、前記車両用シート１の全周にわたって隙間を無くすことができるので、前記ボトムプレート２の端末２ａと前記表皮材４の端末４ａとの境目における防水性を向上できる。
【００３４】
また、上述のように、本実施の形態においては、前記ボトムプレート２と前記表皮材４は同質の材料からなるものである。そして、前記表皮材４の端末４ａの下面４ｂは、同質の材料からなる前記ボトムプレート２の端末２ａの上面２ｂに対して溶着されて接合されている。
これによって、例えば他の材質の材料同士を溶着する場合に比して、前記ボトムプレート２の端末２ａと前記表皮材４の端末４ａとの接合強度を向上させやすくなる。
【００３５】
また、上述のように、前記表皮材４は基布を備えないので、図１（ｂ），（ｃ）に示すように、前記ボトムプレート２の端末２ａの上面２ｂと前記表皮材４の端末４ａの下面４ｂは直に接触するようにして接合されている。
これによって、前記ボトムプレート２の端末２ａと前記表皮材４の端末４ａとの間には、前記車両用シート１の内部に水分を導き入れるような部材が無いことになる。したがって、前記車両用シート１内部への水分の浸入を抑制できる。
なお、基布を備える表皮材を利用する場合には、表皮材を溶着する際に、基布に対して表皮材やボトムプレートの溶融樹脂が浸透して固化し、接着性を向上できるが、本実施の形態の場合は、前記表皮材４と前記ボトムプレート２とが同質の材料からなるので、基布を使用せずに、必要な接着性を確保できるようになっている。したがって、基布を使用しない分、コストの削減を図ることができる。
【００３６】
また、前記接合部５の内側には、図２（ａ），（ｂ）に示すように、前記クッション材３の位置を規制する位置規制部５ａ，５ｂが形成されている。
図２（ａ）に示す位置規制部５ａは、前記車両用シート１の内部において、前記ボトムプレート２の端末２ａの上面２ｂと、前記表皮材４の端末４ａの下面４ｂとの間に形成される隙間を指している。前記車両用シート１の製造時に、前記クッション材３は、前記隙間である位置規制部５ａ内に弾性変形して入り込んだ状態となる。
【００３７】
図２（ｂ）に示す位置規制部５ｂは、前記車両用シート１の内部において、前記ボトムプレート２の端末２ａの上面２ｂと、前記表皮材４の端末４ａの下面４ｂとの間に形成されるとともに、前記車両用シート１内部側に突出する凸部を指している。前記車両用シート１の製造時に、前記凸部である位置規制部５ｂが、前記クッション材３に食い込むことになる。このクッション材３のうち、前記凸部である位置規制部５ｂが食い込んだ部位は弾性変形してへこんだ状態となる。
【００３８】
このようにして前記位置規制部５ａ，５ｂが、前記クッション材３に対して噛み合うような状態となるので、これら位置規制部５ａ，５ｂによって、前記ボトムプレート２と前記表皮材４との間に収容された状態の前記クッション材３の位置を規制できる。これによって、前記クッション材３の位置がずれにくくなるので、前記車両用シート１内に安定的に保持できる。
【００３９】
なお、一つの車両用シート１に対して、前記位置規制部５ａ，５ｂのいずれか一方が形成されるものとしてもよいが、両方が形成されるものとしてもよい。
一つの車両用シート１に対して両方の位置規制部５ａ，５ｂが形成される場合、これら位置規制部５ａ，５ｂは、前記接合部５の全周に沿って交互に形成されるものとする。すなわち、前記一方の位置規制部５ａが形成されない部位には、前記他方の位置規制部５ｂが形成されており、前記他方の位置規制部５ｂが形成されない部位には、前記一方の位置規制部５ａが形成されている。
また、このように前記位置規制部５ａ，５ｂが交互に形成されることによって、これら位置規制部５ａ，５ｂと前記クッション材３との噛み合わせが複雑化するので、前記クッション材３の位置をより規制しやすくなる。
【００４０】
また、図１（ａ），（ｂ）に示すように、前記接合部５のうち、乗車時の乗員の脚部に接触する部分である接触部５Ａは、乗員の脚部から遠ざかる方向に向けられるようにして形成されている。すなわち、前記接触部５Ａは、前記接合部５の他の部位と比較して、より内側に屈曲されるようにして形成されている。
このように接触部５Ａを形成するには、前記ボトムプレート２の該当箇所の形状を内側に屈曲させるようにする。つまり、前記ボトムプレート２は、前記端末２ａに、前記接合部５のうち乗員の脚部に接触する接触部５Ａを形成するために、より内側に屈曲して形成された屈曲部２ｃを備えることになる。前記表皮材４の端末４ａは、この屈曲部２ｃに追従するようにして該屈曲部２ｃに接合されている。
これによって、前記接合部５が乗員の脚部に強く接触することを抑制でき、座り心地を向上できる。
【００４１】
なお、本実施の形態においては、前記屈曲部２ｃは、前記クッション材３の外端よりも内側に屈曲して形成されており、これに追従する前記表皮材４の端末４ａも、前記クッション材３の外端よりも内側に位置している。
ただし、前記屈曲部２ｃの屈曲角度は適宜変更可能であり、本発明の趣旨を逸脱しない範囲で適宜変更可能である。例えば、前記ボトムプレート２の端末２ａと前記表皮材４の端末４ａとが垂直下方を向く程度や、垂直下方よりも若干外側を向く程度の屈曲角度としてもよいし、反対に、図１（ｂ）に示す状態よりも更に内側を向くような屈曲角度としてもよいものとする。
【００４２】
また、前記ボトムプレート２は、図１（ｂ）に示すように、少なくとも前記接触部５Ａ付近に形成される撓み部２ｄを備える。前記撓み部２ｄは、乗員の脚部が前記接触部５Ａに接触した時に撓むことによって、乗員の脚部の荷重を緩衝するものであり、座り心地をさらに向上できるようになっている。
本実施の形態の撓み部２ｄは、前記ボトムプレート２の中央部に対して上がり段状に屈曲して形成されるとともに、外端に前記屈曲部２ｃを含んで構成されている。
【００４３】
また、前記接合部５の少なくとも一部は、図３に示すように、車両外観部材６によって被覆されている。この車両外観部材６は、前記自動二輪車Ｍの車体を構成するもの、または車体に装着されるものであり、リアや側面に装着されるカウルや、燃料タンク等が挙げられる。
本実施の形態の車両外観部材６はカウルが採用されており、図３の例では、前記接合部５は、前記カウル６の端末６ａによって被覆された状態となっている。また、図示はしないが、前記カウル６の端末６ａには外部に露出しない窪みが形成されており、この窪みに前記接合部５を納めることによって、前記接合部５の最先端を確実に被覆することができるので望ましい。
これによって、前記接合部５のうち、前記車両外観部材６によって被覆されている部分の経年劣化等による損傷を抑制できる。
【００４４】
次に、図４および図５を参照して、前記車両用シート１を製造するための製造ラインについて説明する。
まず、前記車両用シート１を製造する製造ラインには、前記ボトムプレート２を、シート状またはプレート状に押出成形する第一押出成形機１０と、前記表皮材４をシート状に押出成形する第二押出成形機１１と、押出性形成された前記ボトムプレート２および前記表皮材４と、前記クッション材３とから前記車両用シート１を製造する車両用シート製造装置１２とが、少なくとも配置されている。
【００４５】
前記第一押出成形機１０は、前記ボトムプレート２をシート状またはプレート状に押出成形するために幅広に形成されたダイス１０ａを備える。
このような第一押出成形機１０によれば、前記ボトムプレート２の樹脂材料を、前記第一押出成形機１０の本体側で溶融し、前記ダイス１０ａを通過させることで、前記ボトムプレート２をシート状またはプレート状に成形することができる。なお、本実施の形態において、前記ボトムプレート２はプレート状に形成されている。
【００４６】
前記第二押出成形機１１は、前記表皮材４をシート状に押出成形するために幅広に形成されたダイス１１ａを備える。
このような第二押出成形機１１によれば、前記表皮材４の樹脂材料を、前記第二押出成形機１１の本体側で溶融し、前記ダイス１１ａを通過させることで、前記表皮材４をシート状に成形することができる。
【００４７】
また、前記車両用シート製造装置１２は、第一押さえ枠１３と、第二押さえ枠１４と、第一真空凹型１５と、第二真空凹型１６と、トリム手段１７と、を備える。
【００４８】
前記第一押さえ枠１３は、前記第一押出成形機１０のダイス１０ａから押出されたプレート状の前記ボトムプレート２の一端部と他端部とをそれぞれ保持するものである。
なお、この第一押さえ枠１３は、前記プレート状のボトムプレート２の全周を保持できるように、例えば矩形枠状に形成されていてもよいものとする。
【００４９】
前記第二押さえ枠１４は、前記第二押出成形機１１のダイス１１ａから押出されたシート状の前記表皮材４の一端部と他端部とをそれぞれ保持するものである。
なお、この第二押さえ枠１４は、前記シート状の表皮材４の全周を保持できるように、例えば矩形枠状に形成されていてもよいものとする。
【００５０】
前記第一真空凹型１５は、前記第一押さえ枠１３によって保持された前記ボトムプレート２の真空引きを行って所定形状に成形するものである。
すなわち、前記型面には、図示しない真空装置と連結された吸引孔が設けられており、型面と前記ボトムプレート２との間が真空状態に近づくように、前記ボトムプレート２を吸引することができる（図４中の三本の上向き矢印）。
これによって、プレート状の前記ボトムプレート２を、型面の形状に対応する形状に成形することができる。
また、この時、前記第一真空凹型１５には、前記ボトムプレート２を前記自動二輪車Ｍの車体に固定するのに必要な金具等が配設されており、前記ボトムプレート２の成形時に組み付けられるようになっている。
【００５１】
前記第二真空凹型１６は、前記第二押さえ枠１４によって保持された前記表皮材４の真空引きを行って所定形状に成形するものである。
すなわち、前記型面には、図示しない真空装置と連結された吸引孔が設けられており、型面と前記表皮材４との間が真空状態に近づくように、前記表皮材４を吸引することができる（図４中の三本の下向き矢印）。
これによって、シート状の前記表皮材４を、型面の形状に対応する形状に成形することができる。
【００５２】
なお、本実施の形態の第一真空凹型１５および第二真空凹型１６として、多孔質のポーラス電鋳真空成形型を使用すると、真空引きを行った時に前記ボトムプレート２および前記表皮材４が全ての方向から型面に吸着され、型面に均一に密着させることができ、好適である。また、電鋳金型であるため、細かいシボ模様や複雑な図形などを、型面に忠実に再現することができ、デザイン性に富んだ成形品を得ることが可能となる。
また、本実施の形態の第一真空凹型１５および第二真空凹型１６としては、この他にも、例えば通気性のある金属型であるポーセラ型（新東工業株式会社製・ポーセラックスII等）や、キャビティ面を形成する多孔質の金属溶射層と多孔質のバックアップ層とを備える溶射型等を使用してもよく、適宜変更可能である。
なお、前記第一真空凹型１５および前記第二真空凹型１６として溶射型を使用した場合には、比較的安価であり、成形にかかる時間の短縮も図ることができるので望ましい。
【００５３】
また、前記ボトムプレート２は前記表皮材４に比して成形後の硬度が高いため、前記車両用シート１の製造時に、前記ボトムプレート２を前記表皮材４側に加圧することを考慮して、図４および図５に示すように、前記第一真空凹型１５が上方に配置されており、前記第二真空凹型１６が下方に配置されている。
また、型面同士は対向するようにして配置されている。
さらに、前記第一真空凹型１５と前記第二真空凹型１６のうち、少なくとも上方に配置された前記第一真空凹型１５は、上下方向に移動可能に構成されている。なお、本実施の形態においては、前記第二真空凹型１６が床に設置され、前記第一真空凹型１５のみが上下方向に移動可能とされている。
【００５４】
前記トリム手段１７は、前記ボトムプレート２の端末２ａと前記表皮材４の端末４ａとを接合してなる前記接合部５を切断する刃部１７ａと、この刃部１７ａを保持するプレート１７ｂと、このプレート１７ｂを保持するとともに上下に移動させるエアシリンダ等の駆動装置（図示せず）と、を備える。
前記刃部１７ａは、前記ボトムプレート２の端末２ａと前記表皮材４の端末４ａとを接合してなる前記接合部５の上方に、かつ該接合部５の全周にわたって配置されている。
そして、前記プレート１７ｂの移動に伴って前記刃部１７ａを前記接合部５側へと移動させることによって、前記接合部５を切断できるようになっている。すなわち、この刃部１７ａによって前記ボトムプレート２の端末２ａと前記表皮材４の端末４ａとを同時に切断することができる。
【００５５】
なお、前記刃部１７ａの角度は、前記接合部５の角度に応じて、予め適宜角度調整されているものとする。これによって、前記車両用シート１のうち、図１（ｂ）に示す部位の接合部５の角度にも対応でき、図１（ｃ）に示す部位の接合部５の角度にも対応することができる。
また、前記トリム手段１７は、前記第一真空凹型１５と共に一つの装置として構成されており、一方の動作が、他方の動作に対して不具合を生じさせないように適宜連係しているものとする。
また、前記第一真空凹型１５は、前記トリム手段１７のプレート１７ｂに当接するストッパー部１５ａを備える。このストッパー部１５ａは、前記プレート１７ｂの移動範囲を規定するものであり、前記刃部１７ａが必要以上に前記第二真空凹型１６側に移動することを防ぐことができる。
【００５６】
次に、図４および図５を参照して、前記車両用シート１の製造方法について説明する。
まず、前記第一押出成形機１０によって前記ボトムプレート２の樹脂材料をプレート状に押出成形する。さらに、また、前記第二押出成形機１１によって前記表皮材４の樹脂材料をシート状に押出成形する。
なお、本実施の形態においては、前記ボトムプレート２の樹脂材料を押出成形する工程と、前記表皮材４の樹脂材料を押出成形する工程は、同時に行われる。
【００５７】
続いて、前記第一押さえ枠１３によって両端部を保持されたプレート状の前記ボトムプレート２を、前記第一押出成形機１０による押出成形時の熱が残り、軟化した状態のまま、前記第一真空凹型１５にセットする。
そして、前記端末２ａを前記第一押さえ枠１３で押さえながら、前記ボトムプレート２を真空引きして成形する（真空成形またはＶＦ（Vacuum Forming）成形と称する）。つまり、前記ボトムプレート２と前記第一真空凹型１５の型面との間を真空状態に近づけて、型面の形状に対応する形状に成形する。
【００５８】
続いて、前記第二押さえ枠１４によって両端部を保持されたシート状の前記表皮材４を、前記第二押出成形機１１による押出成形時の熱が残り、軟化した状態のまま、前記第二真空凹型１６にセットする。
そして、前記端末４ａを前記第二押さえ枠１４で押さえながら、前記表皮材４を真空引きして成形する。つまり、前記表皮材４と前記第二真空凹型１６の型面との間を真空状態に近づけて、型面の形状に対応する形状に成形する。
なお、本発明においては、前記プレート状のボトムプレート２を真空成形する工程と、前記シート状の表皮材４を真空成形する工程は、同時に行われる。
【００５９】
続いて、前記ボトムプレート２と前記表皮材４との間に前記クッション材３を配置し、前記第一真空凹型１５を下方に移動させて、前記ボトムプレート２と前記表皮材４とによって前記クッション材３を挟み込むようにする。前記クッション材３は、前記ボトムプレート２と前記表皮材４との間に形成される空間に収容される。
【００６０】
続いて、前記第一真空凹型１５を下方に移動させて、軟化した状態の前記ボトムプレート２の端末２ａを、前記表皮材４の端末４ａに当接させるとともに加圧する。これによって、前記ボトムプレート２の端末２ａと前記表皮材４の端末４ａとを溶着して接合し、前記接合部５を形成することができる。
なお、前記接合部５を形成したら、この接合部５を冷却して、軟化した状態の樹脂材料を固める。
【００６１】
この時、図２（ａ），（ｂ）に示すように、前記接合部５の内側に、前記クッション材３の位置を規制する位置規制部５ａ，５ｂが形成されることになる。すなわち、前記ボトムプレート２の端末２ａを、前記表皮材４の端末４ａに当接させて加圧した際に、図２（ａ）に示すように前記接合部５の内側が溝状に形成されるか、図２（ｂ）に示すように前記接合部５の内側が突出するようにして形成されるかによって前記位置規制部の形状が決まることになる。
【００６２】
続いて、前記トリム手段１７の刃部１７ａを、前記プレート１７ｂが前記ストッパー部１５ａに当接するまで移動させて、前記接合部５を、前記ボトムプレート２の端末２ａの最先端と前記表皮材４の端末４ａの最先端とが一致するように切断する。
なお、前記トリム手段１７によって前記接合部５を切断した後に、前記ボトムプレート２の端末２ａの端材２Ａと、前記表皮材４の端末４ａの端材４Ａとが発生する。これら端材２Ａおよび端材４Ａは、新しいボトムプレート２および表皮材４を形成するための樹脂材料として再利用される。
以上のようにして前記車両用シート１を製造することができる。
【００６３】
なお、本実施の形態においては、図４に示す工程のうち、前記第一押出成形機１０および前記第二押出成形機１１によって前記ボトムプレート２および前記表皮材４を同時に押出成形した直後に、押出成形時の熱が残った状態で、前記プレート状のボトムプレート２および前記シート状の表皮材４を、前記第一真空凹型１５および前記第二真空凹型１６によって真空成形している。
しかし、前記ボトムプレート２および前記表皮材４を同時に押出成形した直後に真空成形しない場合もある。押出成形した直後に真空成形しない場合、前記ボトムプレート２や前記表皮材４には押出成形時の熱があまり残っていないか、完全に冷却した状態となっている場合がある。
このように押出成形時の熱が残っていない状態のボトムプレート２および表皮材４を用いる場合には、図示しないヒーター等の加熱手段を用いて、前記ボトムプレート２および前記表皮材４を加熱し、再度軟化させてから真空成形する。
そして、この場合、前記加熱手段は、前記製造ラインのうち、前記第一真空凹型１５と前記第二真空凹型１６の直前の位置に設置される。つまり、前記ボトムプレート２および前記表皮材４を真空成形する工程の前工程として、前記ボトムプレート２および前記表皮材４を加熱する工程が組み込まれることになる。
また、前記加熱手段を製造ラインに組み込んだ場合には、前記プレート状のボトムプレート２や前記シート状の表皮材４は外部から調達してもよいものとする。この場合、前記第一押出成形機１０および前記第二押出成形機１１は、前記製造ラインに組み込まれないこととなる。
一方、本実施の形態のように押出成形の直後に真空成形する場合であっても、前記加熱手段を、前記第一真空凹型１５と前記第二真空凹型１６の直前の位置に設置し、前記ボトムプレート２および前記表皮材４の加熱を行うようにしてもよい。これによって、前記ボトムプレート２および前記表皮材４の冷却を抑制し、軟化状態を保つことができるので好ましい。
【００６４】
本実施の形態によれば、前記表皮材４の端末４ａの下面４ｂは、前記ボトムプレート２の端末２ａの上面２ｂに接合されており、前記接合部５は、前記ボトムプレート２の端末２ａの最先端と前記表皮材４の端末４ａの最先端とが一致するように形成されているので、従来とは異なり、前記表皮材４の端末４ａが、前記ボトムプレート２の裏面側へと折り込まれずに処理されることになる。また、製造段階で、前記ボトムプレート２の端末２ａと前記表皮材４の端末４ａとの境目を視認できるので、この境目から前記クッション材３がはみ出しているか、はみ出していないかを容易に確認することができる。
さらに、前記境目から前記クッション材３がはみ出していることを容易に確認できるので、実際に前記クッション材３がはみ出していた場合には、これを見逃さずに適切な対処を行うことができる。これによって、例えば前記境目から前記クッション材３がはみ出したままの場合よりも、前記ボトムプレート２の端末２ａと前記表皮材４の端末４ａとの接合箇所を増やすことができるので、前記ボトムプレート２の端末２ａと前記表皮材４の端末４ａとの接合状態を向上できる。
【符号の説明】
【００６５】
Ｍ  自動二輪車
１  車両用シート
２  ボトムプレート
２ａ  端末
２ｂ  上面
３  クッション材
４  表皮材
４ａ  端末
４ｂ  下面
５  接合部
５ａ  位置規制部
５ｂ  位置規制部
６  車両外観部材
１０  第一押出成形機
１１  第二押出成形機
１２  車両用シート製造装置
１５  第一真空凹型
１６  第二真空凹型
１７  トリム手段
【図１】
2013189074.tif 000003
【図２】
2013189074.tif 000004
【図３】
2013189074.tif 000005
【図４】
2013189074.tif 000006
【図５】
2013189074.tif 000007